(57)【要約】【課題】組立て状態で六角柱状の胴部を有し、胴部を六角形状に形成することにより同時に底部が形成される包装箱において、胴部を六角形状に形成した際に、底部を平板状に円滑に組み立てることができる包装箱を提供する。【解決手段】包装箱の折畳み状態において、底部４０を構成する各部がスリーブ状部５の内側に位置し、第４フラップ８０は、折れ線１７よりも背面側右側面部１６側に突出して形成され、フラップ本体６２に対して折曲した突状部６４は、折れ線１７よりも背面部１８側に突出しないように形成され、突状部６４の一部は、第４フラップ８０の一部と重なっている。また、第１フラップ５０は、折れ線１１よりも正面側左側面部２２側に突出して形成され、フラップ本体９２に対して折曲した突状部９４が、折れ線１１よりも正面部１２側に突出しないように形成され、突状部９４の一部は、第１フラップ５０の一部と重なっている。【選択図】図４
0003171224.tif 000002
【実用新案登録請求の範囲】
【請求項１】
１枚のシート状のブランクにより形成された包装箱であって、
包装箱の側面を形成するスリーブ状部で、方形状の第１側板部（１２）と、第１側板部の側辺から第１折れ線（１３）を介して連設された方形状の第２側板部（１４）と、第２側板部の第１側板部とは反対側の側辺から第２折れ線（１５）を介して連設された方形状の第３側板部（１６）と、第３側板部の第２側板部とは反対側の側辺から第３折れ線（１７）を介して連設された方形状の第４側板部（１８）と、第４側板部の第３側板部とは反対側の側辺から第４折れ線（１９）を介して連設された方形状の第５側板部（２０）と、第５側板部の第４側板部とは反対側の側辺から第５折れ線（２１）を介して連設された方形状の第６側板部（２２）と、第１側板部の第２側板部とは反対側の側辺から第６折れ線（１１）を介して連設され、第６側板部と接着された糊代部（１０）とを有し、包装箱の組立て状態では、六角柱状のスリーブ状に形成されるスリーブ状部（５）と、
スリーブ状部から連設された底部で、第１側板部の下辺から折れ線を介して連設された第１フラップ（５０）と、第２側板部の下辺から折れ線を介して連設された第２フラップ（６０）と、第３側板部の下辺から折れ線を介して連設された第３フラップ（７０）と、第４側板部の下辺から折れ線を介して連設された第４フラップ（８０）と、第５側板部の下辺から折れ線を介して連設された第５フラップ（９０）と、第６側板部の下辺から折れ線を介して連設された第６フラップ（１００）とを有し、第１フラップが、包装箱の折畳み状態において、横方向に第６折れ線から糊代部側に突出して形成され、第２フラップが、第２側板部の下辺から折れ線を介して連設された第２フラップ本体（６２）と、第２フラップ本体における第２側板部の下辺の方向に対して６０度の角度をなす第１傾斜辺部（６２ｈ）から折れ線を介して連設された第２フラップ突状部（６４）とを有し、第２フラップ本体が、包装箱の折畳み状態において、第１折れ線から第１側板部側に突出して形成され、第２フラップ突状部が、包装箱の折畳み状態において、第２フラップ本体に対して第１傾斜辺部を介して折曲した状態であり、第３折れ線よりも第４側板部側に突出しないように形成され、該第１傾斜辺部の第２側板部の下辺とは反対側の端部に接する第１切欠部で、第２フラップ本体における辺部（６２ｇ）と第２フラップ突状部における辺部（６４ｆ）とで形成された第１切欠部を有し、第３フラップが、第２フラップ突状部の底部の組立て時における上面と接着し、第４フラップが、包装箱の折畳み状態において、横方向に第３折れ線から第３側板部側に突出して形成され、第５フラップが、第５側板部の下辺から折れ線を介して連設された第５フラップ本体（９２）と、第５フラップ本体における第５側板部の下辺の方向に対して６０度の角度をなす第２傾斜辺部（９２ｈ）から折れ線を介して連設された第５フラップ突状部（９４）とを有し、第５フラップ本体が、包装箱の折畳み状態において、第４折れ線から第４側板部側に突出して形成され、第５フラップ突状部が、包装箱の折畳み状態において、第５フラップ本体に対して第２傾斜辺部を介して折曲した状態であり、第６折れ線よりも第１側板部側に突出しないように形成され、該第２傾斜辺部の第５側板部の下辺とは反対側の端部に接する第２切欠部で、第５フラップ本体における辺部（９２ｇ）と第５フラップ突状部における辺部（９４ｆ）とで形成された第２切欠部を有し、第６フラップが、第５フラップ突状部の底部の組立て時における上面と接着し、包装箱の折畳み状態において、第２フラップ突状部の一部が第４フラップの一部と重なるとともに、第５フラップ突状部の一部が第１フラップの一部と重なる底部（４０）と、
を有し、
第２側板部と第３側板部とを略平行に近接させるとともに第５側板部と第６側板部とを略平行に近接させた状態である包装箱の折畳み状態において、底部を構成する各部がスリーブ状部の内側に位置し、包装箱の折畳み状態からスリーブ状部を六角柱状に組み立てることにより、第３フラップが第３側板部に対して回動するとともに、第４フラップが第４側板部に対して回動して第３フラップの上面に重なり、さらに、第５フラップの第５フラップ本体が第４フラップに重なり、また、第６フラップが第６側板部に対して回動するとともに、第１フラップが第１側板部に対して回動して第６フラップの上面に重なり、さらに、第２フラップの第２フラップ本体が第１フラップに重なり、第１切欠部と第２切欠部が係合することにより、底部が組み立てられることを特徴とする包装箱。
【請求項２】
第６折れ線と第１折れ線の間の長さと、第１折れ線と第２折れ線の間の長さと、第２折れ線と第３折れ線の間の長さと、第３折れ線と第４折れ線の間の長さと、第４折れ線と第５折れ線の間の長さとが同一に形成され、スリーブ状部を組み立てた際に、正六角柱状に形成されることを特徴とする請求項１に記載の包装箱。
【請求項３】
１枚のシート状のブランクにより形成された包装箱であって、
包装箱の側面を形成するスリーブ状部で、方形状の第１側板部（１２）と、第１側板部の側辺から第１折れ線（１３）を介して連設された方形状の第２側板部（１４）と、第２側板部の第１側板部とは反対側の側辺から第２折れ線（１５）を介して連設された方形状の第３側板部（１６）と、第３側板部の第２側板部とは反対側の側辺から第３折れ線（１７）を介して連設された方形状の第４側板部（１８）と、第４側板部の第３側板部とは反対側の側辺から第４折れ線（１９）を介して連設された方形状の第５側板部（２０）と、第５側板部の第４側板部とは反対側の側辺から第５折れ線（２１）を介して連設された方形状の第６側板部（２２）と、第６側板部の第５側板部とは反対側の側辺から第６折れ線を介して連設され、第１側板部と接着された糊代部（１０）とを有し、包装箱の組立て状態では、六角柱状のスリーブ状に形成されるスリーブ状部（５）と、
スリーブ状部から連設された底部で、第１側板部の下辺から折れ線を介して連設された第１フラップ（５０）と、第２側板部の下辺から折れ線を介して連設された第２フラップ（６０）と、第３側板部の下辺から折れ線を介して連設された第３フラップ（７０）と、第４側板部の下辺から折れ線を介して連設された第４フラップ（８０）と、第５側板部の下辺から折れ線を介して連設された第５フラップ（９０）と、第６側板部の下辺から折れ線を介して連設された第６フラップ（１００）とを有し、第１フラップが、包装箱の折畳み状態において、横方向に第６折れ線から第６側板部側に突出して形成され、第２フラップが、第２側板部の下辺から折れ線を介して連設された第２フラップ本体（６２）と、第２フラップ本体における第２側板部の下辺の方向に対して６０度の角度をなす第１傾斜辺部（６２ｈ）から折れ線を介して連設された第２フラップ突状部（６４）とを有し、第２フラップ本体が、包装箱の折畳み状態において、第１折れ線から第１側板部側に突出して形成され、第２フラップ突状部が、包装箱の折畳み状態において、第２フラップ本体に対して第１傾斜辺部を介して折曲した状態であり、第３折れ線よりも第４側板部側に突出しないように形成され、該第１傾斜辺部の第２側板部の下辺とは反対側の端部に接する第１切欠部で、第２フラップ本体における辺部と第２フラップ突状部における辺部とで形成された第１切欠部を有し、第３フラップが、第２フラップ突状部の底部の組立て時における上面と接着し、第４フラップが、包装箱の折畳み状態において、横方向に第３折れ線から第３側板部側に突出して形成され、第５フラップが、第５側板部の下辺から折れ線を介して連設された第５フラップ本体（９２）と、第５フラップ本体における第５側板部の下辺の方向に対して６０度の角度をなす第２傾斜辺部（９２ｈ）から折れ線を介して連設された第５フラップ突状部（９４）とを有し、第５フラップ本体が、包装箱の折畳み状態において、第４折れ線から第４側板部側に突出して形成され、第５フラップ突状部が、包装箱の折畳み状態において、第５フラップ本体に対して第２傾斜辺部を介して折曲した状態であり、第６折れ線よりも糊代部側に突出しないように形成され、該第２傾斜辺部の第５側板部の下辺とは反対側の端部に接する第２切欠部で、第５フラップ本体における辺部（９２ｇ）と第５フラップ突状部における辺部（９４ｆ）とで形成された第２切欠部を有し、第６フラップが、第５フラップ突状部の底部の組立て時における上面と接着し、包装箱の折畳み状態において、第２フラップ突状部の一部が第４フラップの一部と重なるとともに、第５フラップ突状部の一部が第１フラップの一部と重なる底部（４０）と、
を有し、
第２側板部と第３側板部とを略平行に近接させるとともに第５側板部と第６側板部とを略平行に近接させた状態である包装箱の折畳み状態において、底部を構成する各部がスリーブ状部の内側に位置し、包装箱の折畳み状態からスリーブ状部を六角柱状に組み立てることにより、第３フラップが第３側板部に対して回動するとともに、第４フラップが第４側板部に対して回動して第３フラップの上面に重なり、さらに、第５フラップの第５フラップ本体が第４フラップに重なり、また、第６フラップが第６側板部に対して回動するとともに、第１フラップが第１側板部に対して回動して第６フラップの上面に重なり、さらに、第２フラップの第２フラップ本体が第１フラップに重なり、第１切欠部と第２切欠部が係合することにより、底部が組み立てられることを特徴とする包装箱。
【請求項４】
第１折れ線と第２折れ線の間の長さと、第２折れ線と第３折れ線の間の長さと、第３折れ線と第４折れ線の間の長さと、第４折れ線と第５折れ線の間の長さと、第５折れ線と第６折れ線の間の長さとが同一に形成され、スリーブ状部を組み立てた際に、正六角柱状に形成されることを特徴とする請求項３に記載の包装箱。
【請求項５】
第３フラップは、第３側板部から離れるほど幅狭となる第１本体部（７２）と、第１本体部の先端側の第４側板部側から突出した第１突出部（７４）とを有し、第１突出部は、包装箱の折畳み状態において、第１傾斜辺部から突出して形成されるとともに、第６フラップは、第６側板部から離れるほど幅狭となる第２本体部（１０２）と、第２本体部の先端側の第１側板部側から突出した第２突出部（１０４）とを有し、第２突出部は、包装箱の折畳み状態において、第２傾斜辺部から突出して形成されていることを特徴とする請求項１又は２又は３又は４に記載の包装箱。
【請求項６】
第２フラップの第２フラップ突状部において第１切欠部を構成する辺部（６４ｆ）と第１傾斜辺部とがなす角度が略９０度であるとともに、第５フラップの第５フラップ突状部において第２切欠部を構成する辺部（９４ｆ）と第２傾斜辺部とがなす角度が略９０度であることを特徴とする請求項１又は２又は３又は４又は５に記載の包装箱。
【請求項７】
１枚のシート状のブランクにより形成された包装箱であって、
包装箱の側面を形成するスリーブ状部で、方形状の第１側板部（１２）と、第１側板部の側辺から第１折れ線（１３）を介して連設された方形状の第２側板部（１４）と、第２側板部の第１側板部とは反対側の側辺から第２折れ線（１５）を介して連設された方形状の第３側板部（１６）と、第３側板部の第２側板部とは反対側の側辺から第３折れ線（１７）を介して連設された方形状の第４側板部（１８）と、第４側板部の第３側板部とは反対側の側辺から第４折れ線（１９）を介して連設された方形状の第５側板部（２０）と、第５側板部の第４側板部とは反対側の側辺から第５折れ線（２１）を介して連設された方形状の第６側板部（２２）と、第１側板部の第２側板部とは反対側の側辺から第６折れ線（１１）を介して連設され、第６側板部と接着された糊代部（１０）とを有し、第６折れ線と第１折れ線の間の長さと、第１折れ線と第２折れ線の間の長さと、第２折れ線と第３折れ線の間の長さと、第３折れ線と第４折れ線の間の長さと、第４折れ線と第５折れ線の間の長さとが同一に形成され、包装箱の組立て状態では、正六角柱状のスリーブ状に形成されるスリーブ状部（５）と、
スリーブ状部から連設された底部で、第１側板部の下辺から折れ線を介して連設された第１フラップ（５０）と、第２側板部の下辺から折れ線を介して連設された第２フラップ（６０）と、第３側板部の下辺から折れ線を介して連設された第３フラップ（７０）と、第４側板部の下辺から折れ線を介して連設された第４フラップ（８０）と、第５側板部の下辺から折れ線を介して連設された第５フラップ（９０）と、第６側板部の下辺から折れ線を介して連設された第６フラップ（１００）とを有し、第１フラップが、包装箱の折畳み状態において、横方向に第６折れ線から糊代部側に突出して形成され、第２フラップが、第２側板部の下辺から折れ線を介して連設された第２フラップ本体（６２）と、第２フラップ本体における第２側板部の下辺の方向に対して６０度の角度をなす第１傾斜辺部（６２ｈ）から折れ線を介して連設された第２フラップ突状部（６４）とを有し、第２フラップ本体が、包装箱の折畳み状態において、第１折れ線から第１側板部側に突出して形成され、第２フラップ突状部が、包装箱の折畳み状態において、第２フラップ本体に対して第１傾斜辺部を介して折曲した状態であり、第３折れ線よりも第４側板部側に突出しないように形成され、該第１傾斜辺部の第２側板部の下辺とは反対側の端部に接する第１切欠部で、第２フラップ本体における辺部（６２ｇ）と第２フラップ突状部における辺部（６４ｆ）とで形成された第１切欠部を有し、第３フラップが、第２フラップ突状部の底部の組立て時における上面と接着し、第４フラップが、包装箱の折畳み状態において、横方向に第３折れ線から第３側板部側に突出して形成され、第５フラップが、第５側板部の下辺から折れ線を介して連設された第５フラップ本体（９２）と、第５フラップ本体における第５側板部の下辺の方向に対して６０度の角度をなす第２傾斜辺部（９２ｈ）から折れ線を介して連設された第５フラップ突状部（９４）とを有し、第５フラップ本体が、包装箱の折畳み状態において、第４折れ線から第４側板部側に突出して形成され、第５フラップ突状部が、包装箱の折畳み状態において、第５フラップ本体に対して第２傾斜辺部を介して折曲した状態であり、第６折れ線よりも第１側板部側に突出しないように形成され、該第２傾斜辺部の第５側板部の下辺とは反対側の端部に接する第２切欠部で、第５フラップ本体における辺部（９２ｇ）と第５フラップ突状部における辺部（９４ｆ）とで形成された第２切欠部を有し、第６フラップが、第５フラップ突状部の底部の組立て時における上面と接着し、包装箱の折畳み状態において、第２フラップ突状部の一部が第４フラップの一部と重なるとともに、第５フラップ突状部の一部が第１フラップの一部と重なる底部（４０）と、
を有し、
第３フラップは、第３側板部から離れるほど幅狭となる第１本体部（７２）と、第１本体部の先端側の第４側板部側から突出した第１突出部（７４）とを有し、第１突出部は、包装箱の折畳み状態において、第１傾斜辺部から突出して形成されるとともに、第６フラップは、第６側板部から離れるほど幅狭となる第２本体部（１０２）と、第２本体部の先端側の第１側板部側から突出した第２突出部（１０４）とを有し、第２突出部は、包装箱の折畳み状態において、第２傾斜辺部から突出して形成され、
第２フラップの第２フラップ突状部において第１切欠部を構成する辺部（６４ｆ）と第１傾斜辺部とがなす角度が略９０度であるとともに、第５フラップの第５フラップ突状部において第２切欠部を構成する辺部（９４ｆ）と第２傾斜辺部とがなす角度が略９０度であり、
第２側板部と第３側板部とを略平行に近接させるとともに第５側板部と第６側板部とを略平行に近接させた状態である包装箱の折畳み状態において、底部を構成する各部がスリーブ状部の内側に位置し、包装箱の折畳み状態からスリーブ状部を正六角柱状に組み立てることにより、第３フラップが第３側板部に対して回動するとともに、第４フラップが第４側板部に対して回動して第３フラップの上面に重なり、さらに、第５フラップの第５フラップ本体が第４フラップに重なり、また、第６フラップが第６側板部に対して回動するとともに、第１フラップが第１側板部に対して回動して第６フラップの上面に重なり、さらに、第２フラップの第２フラップ本体が第１フラップに重なり、第１切欠部と第２切欠部が係合することにより、底部が組み立てられることを特徴とする包装箱。
【請求項８】
１枚のシート状のブランクにより形成された包装箱であって、
包装箱の側面を形成するスリーブ状部で、方形状の第１側板部（１２）と、第１側板部の側辺から第１折れ線（１３）を介して連設された方形状の第２側板部（１４）と、第２側板部の第１側板部とは反対側の側辺から第２折れ線（１５）を介して連設された方形状の第３側板部（１６）と、第３側板部の第２側板部とは反対側の側辺から第３折れ線（１７）を介して連設された方形状の第４側板部（１８）と、第４側板部の第３側板部とは反対側の側辺から第４折れ線（１９）を介して連設された方形状の第５側板部（２０）と、第５側板部の第４側板部とは反対側の側辺から第５折れ線（２１）を介して連設された方形状の第６側板部（２２）と、第６側板部の第５側板部とは反対側の側辺から第６折れ線を介して連設され、第１側板部と接着された糊代部（１０）とを有し、第１折れ線と第２折れ線の間の長さと、第２折れ線と第３折れ線の間の長さと、第３折れ線と第４折れ線の間の長さと、第４折れ線と第５折れ線の間の長さと、第５折れ線と第６折れ線の間の長さとが同一に形成され、包装箱の組立て状態では、正六角柱状のスリーブ状に形成されるスリーブ状部（５）と、
スリーブ状部から連設された底部で、第１側板部の下辺から折れ線を介して連設された第１フラップ（５０）と、第２側板部の下辺から折れ線を介して連設された第２フラップ（６０）と、第３側板部の下辺から折れ線を介して連設された第３フラップ（７０）と、第４側板部の下辺から折れ線を介して連設された第４フラップ（８０）と、第５側板部の下辺から折れ線を介して連設された第５フラップ（９０）と、第６側板部の下辺から折れ線を介して連設された第６フラップ（１００）とを有し、第１フラップが、包装箱の折畳み状態において、横方向に第６折れ線から第６側板部側に突出して形成され、第２フラップが、第２側板部の下辺から折れ線を介して連設された第２フラップ本体（６２）と、第２フラップ本体における第２側板部の下辺の方向に対して６０度の角度をなす第１傾斜辺部（６２ｈ）から折れ線を介して連設された第２フラップ突状部（６４）とを有し、第２フラップ本体が、包装箱の折畳み状態において、第１折れ線から第１側板部側に突出して形成され、第２フラップ突状部が、包装箱の折畳み状態において、第２フラップ本体に対して第１傾斜辺部を介して折曲した状態であり、第３折れ線よりも第４側板部側に突出しないように形成され、該第１傾斜辺部の第２側板部の下辺とは反対側の端部に接する第１切欠部で、第２フラップ本体における辺部（６２ｇ）と第２フラップ突状部における辺部（６４ｆ）とで形成された第１切欠部を有し、第３フラップが、第２フラップ突状部の底部の組立て時における上面と接着し、第４フラップが、包装箱の折畳み状態において、横方向に第３折れ線から第３側板部側に突出して形成され、第５フラップが、第５側板部の下辺から折れ線を介して連設された第５フラップ本体（９２）と、第５フラップ本体における第５側板部の下辺の方向に対して６０度の角度をなす第２傾斜辺部（９２ｈ）から折れ線を介して連設された第５フラップ突状部（９４）とを有し、第５フラップ本体が、包装箱の折畳み状態において、第４折れ線から第４側板部側に突出して形成され、第５フラップ突状部が、包装箱の折畳み状態において、第５フラップ本体に対して第２傾斜辺部を介して折曲した状態であり、第６折れ線よりも糊代部側に突出しないように形成され、該第２傾斜辺部の第５側板部の下辺とは反対側の端部に接する第２切欠部で、第５フラップ本体における辺部（９２ｇ）と第５フラップ突状部における辺部（９４ｆ）とで形成された第２切欠部を有し、第６フラップが、第５フラップ突状部の底部の組立て時における上面と接着し、包装箱の折畳み状態において、第２フラップ突状部の一部が第４フラップの一部と重なるとともに、第５フラップ突状部の一部が第１フラップの一部と重なる底部（４０）と、
を有し、
第３フラップは、第３側板部から離れるほど幅狭となる第１本体部（７２）と、第１本体部の先端側の第４側板部側から突出した第１突出部（７４）とを有し、第１突出部は、包装箱の折畳み状態において、第１傾斜辺部から突出して形成されるとともに、第６フラップは、第６側板部から離れるほど幅狭となる第２本体部（１０２）と、第２本体部の先端側の第１側板部側から突出した第２突出部（１０４）とを有し、第２突出部は、包装箱の折畳み状態において、第２傾斜辺部から突出して形成され、
第２フラップの第２フラップ突状部において第１切欠部を構成する辺部（６４ｆ）と第１傾斜辺部とがなす角度が略９０度であるとともに、第５フラップの第５フラップ突状部において第２切欠部を構成する辺部（９４ｆ）と第２傾斜辺部とがなす角度が略９０度であり、
第２側板部と第３側板部とを略平行に近接させるとともに第５側板部と第６側板部とを略平行に近接させた状態である包装箱の折畳み状態において、底部を構成する各部がスリーブ状部の内側に位置し、包装箱の折畳み状態からスリーブ状部を正六角柱状に組み立てることにより、第３フラップが第３側板部に対して回動するとともに、第４フラップが第４側板部に対して回動して第３フラップの上面に重なり、さらに、第５フラップの第５フラップ本体が第４フラップに重なり、また、第６フラップが第６側板部に対して回動するとともに、第１フラップが第１側板部に対して回動して第６フラップの上面に重なり、さらに、第２フラップの第２フラップ本体が第１フラップに重なり、第１切欠部と第２切欠部が係合することにより、底部が組み立てられることを特徴とする包装箱。
【請求項９】
包装箱が、中芯の厚みが０．５±０．１ｍｍで、中芯の段数が３０ｃｍ当たり１７７±１０段の両面段ボール材により形成されていることを特徴とする請求項１又は２又は３又は４又は５又は６又は７又は８に記載の包装箱。
【考案の詳細な説明】
【技術分野】
【０００１】
本考案は、包装箱に関するものであり、特に、使用時に胴部を形成することにより同時に底部が形成される包装箱の底部の構造に関するものである。
【背景技術】
【０００２】
従来より、組立て状態で六角柱状の胴部を有する包装箱で、使用時に胴部を形成することにより底部がワンタッチで形成される包装箱として、図１３、図１４に示す構成の包装箱Ｂが存在する。
【０００３】
包装箱Ｂは、スリーブ状部１０５と、スリーブ状部１０５から連設された上フラップ部１２４、１２６、１２８と、蓋部１３０と、底部１４０とを有している。包装箱Ｂは、１枚のシート状のブランク（具体的には、段ボール製（例えば、薄型段ボール製）のブランク）により形成されている。
【０００４】
ここで、スリーブ状部１０５は、糊代部１１０と、正面部１１２と、正面側右側面部１１４と、背面側右側面部１１６と、背面部１１８と、背面側左側面部１２０と、正面側左側面部１２２とを有している。また、蓋部１３０は、上面部１３２と、上面部１３２から連設された差込み片部１３４、１３６とを有している。
【０００５】
また、底部１４０は、正面部１１２から折れ線を介して連設された第１フラップ１５０と、正面側右側面部１１４から折れ線を介して連設された第２フラップ１６０と、背面側右側面部１１６から折れ線を介して連設された第３フラップ１７０と、背面部１１８から折れ線を介して連設された第４フラップ１８０と、背面側左側面部１２０から折れ線を介して連設された第５フラップ１９０と、正面側左側面部１２２から折れ線を介して連設された第６フラップ２００とを有している。
【０００６】
ここで、第２フラップ１６０は、フラップ本体１６２と、フラップ本体１６２から折れ線を介して連設された突状部１６４とを有し、また、第５フラップ１９０は、フラップ本体１９２と、フラップ本体１９２から折れ線を介して連設された突状部１９４とを有している。突状部１６４は、第３フラップ１７０と接着し（つまり、突状部１６４の包装箱Ｂの組立て状態における上面が、第３フラップ１７０の包装箱Ｂの組立て状態における下面とが接着している）、突状部１９４は、第６フラップ２００と接着している（つまり、突状部１９４の包装箱Ｂの組立て状態における上面が、第６フラップ２００の包装箱Ｂの組立て状態における下面とが接着している）。
【０００７】
包装箱Ｂは、図１５に示すように、正面側左側面部１２２と正面部１１２と正面側右側面部１１４とを略１枚のシート状とし、背面側左側面部１２０と背面部１１８と背面側右側面部１１６とを略１枚のシート状として折り畳むことができる。図１５に示すような折り畳んだ状態では、底部１４０を構成する各部材は、スリーブ状部１０５の内側に位置し、図１６に示すように、第２フラップ１６０における突状部１６４はフラップ本体１６２に対して折曲し、突状部１６４は、折れ線１１７（背面側右側面部１１６と背面部１１８間の折れ線）から背面部１１８側に突出するとともに、第４フラップ１８０の突状部１６４側の辺部は、折れ線１１７から背面側右側面部１１６側に突出しない構成となっており、また、図１７に示すように、第５フラップ１９０における突状部１９４はフラップ本体１９２に対して折曲し、突状部１９４は、折れ線１１１（糊代部１１０と正面部１１２間の折れ線）から正面部１１２側に突出するとともに、第１フラップ１５０の突状部１９４側の辺部は、折れ線１１１から糊代部１１０側に突出しない構成となっている。
【０００８】
包装箱Ｂを折り畳んだ状態からスリーブ状部１０５を六角柱状に組み立てることにより、底部１４０を構成する各フラップが該フラップが連設された部材（スリーブ状部１０５における部材）に対して立ち上がり、底部１４０は、図１４に示す状態に組み立てられる。
【０００９】
包装箱Ｂを図１４に示すように組み立てた状態では、第１フラップ１５０は、第２フラップ１６０のフラップ本体１６２と第５フラップ１９０の突状部１９４（及び第６フラップ２００）の間に位置し、第４フラップ１８０は、第５フラップ１９０のフラップ本体１９２と第２フラップ１６０の突状部１６４（及び第３フラップ１７０）の間に位置する。
【００１０】
なお、出願人は、先行技術文献として、特許文献１を知得している。
【先行技術文献】
【特許文献】
【００１１】
【特許文献１】特開２００７−２８４０６７号公報
【考案の概要】
【考案が解決しようとする課題】
【００１２】
しかし、図１３〜図１７に示す包装箱Ｂにおいては、突状部１６４は、折れ線１１７から背面部１１８側に突出するとともに、第４フラップ１８０の突状部１６４側の辺部は、折れ線１１７から背面側右側面部１１６側に突出しない構成となっていて、突状部１６４が長く形成されていることから、図１８に示すように、底部１４０を組み立てる際に、第４フラップ１８０が背面部１１８に対して立ち上がる際に、突状部１６４に第４フラップ１８０が押さえられてしまい、第４フラップ１８０が立ち上げるタイミングが遅くなり、これにより、第５フラップ１９０のフラップ本体１９２が背面側左側面部１２０に対して立ち上がるタイミングも遅くなってしまい、スリーブ状部１０５を六角柱状に組み立てても、第５フラップ１９０においてフラップ本体１９２が突状部１９４に対して折れ曲がった状態となり第５フラップ１９０が平板状に形成されず、よって、底部１４０が平板状に形成されず、また、フラップ本体１９２が突状部１９４に対して折れ曲がったままでは、第２フラップ１６０と第５フラップ１９０のロックも円滑に行われず、結果として、底部１４０を平板状に円滑に組み立てることができないという問題がある。
【００１３】
同様に、突状部１９４は、折れ線１１１から正面部１１２側に突出するとともに、第１フラップ１５０の突状部１９４側の辺部は、折れ線１１１から糊代部１１０側に突出しない構成となっていて、突状部１９４が長く形成されていることから、図１８に示すように、底部１４０を組み立てる際に、第１フラップ１５０が正面部１１２に対して立ち上がる際に、突状部１９４に第１フラップ１５０が押さえられてしまい、第１フラップ１５０が立ち上げるタイミングが遅くなり、これにより、第２フラップ１６０のフラップ本体１６２が正面側右側面部１１４に対して立ち上がるタイミングも遅くなってしまい、スリーブ状部１０５を六角柱状に組み立てても、第２フラップ１６０においてフラップ本体１６２が突状部１６４に対して折れ曲がった状態となり第２フラップ１６０が平板状に形成されず、よって、底部１４０が平板状に形成されず、また、フラップ本体１６２が突状部１６４に対して折れ曲がったままでは、第２フラップ１６０と第５フラップ１９０のロックも円滑に行われず、結果として、底部１４０を平板状に円滑に組み立てることができないという問題がある。
【００１４】
特に、超薄型段ボール材（例えば、中芯の段高（中芯の厚み）０．５±０．１ｍｍ、中芯の段数（山数）が３０ｃｍ当たり１７７±１０段（好適には、中芯の段高（中芯の厚み）０．５ｍｍ、中芯の段数（山数）が３０ｃｍ当たり１７７段）のＧフルート）で上記包装箱を構成した場合には、該段ボール材は硬くしなりが少ないことから、底部１４０を平板状に円滑に組み立てることができないという問題がある。
【００１５】
そこで、本考案が解決しようとする問題点は、組立て状態で六角柱状の胴部を有し、胴部を六角形状に形成することにより同時に底部が形成される包装箱において、胴部を六角形状に形成した際に、底部を平板状に円滑に組み立てることができる包装箱を提供することである。
【課題を解決するための手段】
【００１６】
本考案は上記問題点を解決するために創作されたものであって、第１には、１枚のシート状のブランクにより形成された包装箱であって、包装箱の側面を形成するスリーブ状部で、方形状の第１側板部（１２）と、第１側板部の側辺から第１折れ線（１３）を介して連設された方形状の第２側板部（１４）と、第２側板部の第１側板部とは反対側の側辺から第２折れ線（１５）を介して連設された方形状の第３側板部（１６）と、第３側板部の第２側板部とは反対側の側辺から第３折れ線（１７）を介して連設された方形状の第４側板部（１８）と、第４側板部の第３側板部とは反対側の側辺から第４折れ線（１９）を介して連設された方形状の第５側板部（２０）と、第５側板部の第４側板部とは反対側の側辺から第５折れ線（２１）を介して連設された方形状の第６側板部（２２）と、第１側板部の第２側板部とは反対側の側辺から第６折れ線（１１）を介して連設され、第６側板部と接着された糊代部（１０）とを有し、包装箱の組立て状態では、六角柱状のスリーブ状に形成されるスリーブ状部（５）と、スリーブ状部から連設された底部で、第１側板部の下辺から折れ線を介して連設された第１フラップ（５０）と、第２側板部の下辺から折れ線を介して連設された第２フラップ（６０）と、第３側板部の下辺から折れ線を介して連設された第３フラップ（７０）と、第４側板部の下辺から折れ線を介して連設された第４フラップ（８０）と、第５側板部の下辺から折れ線を介して連設された第５フラップ（９０）と、第６側板部の下辺から折れ線を介して連設された第６フラップ（１００）とを有し、第１フラップが、包装箱の折畳み状態において、横方向に第６折れ線から糊代部側に突出して形成され、第２フラップが、第２側板部の下辺から折れ線を介して連設された第２フラップ本体（６２）と、第２フラップ本体における第２側板部の下辺の方向に対して６０度の角度をなす第１傾斜辺部（６２ｈ）から折れ線を介して連設された第２フラップ突状部（６４）とを有し、第２フラップ本体が、包装箱の折畳み状態において、第１折れ線から第１側板部側に突出して形成され、第２フラップ突状部が、包装箱の折畳み状態において、第２フラップ本体に対して第１傾斜辺部を介して折曲した状態であり、第３折れ線よりも第４側板部側に突出しないように形成され、該第１傾斜辺部の第２側板部の下辺とは反対側の端部に接する第１切欠部で、第２フラップ本体における辺部（６２ｇ）と第２フラップ突状部における辺部（６４ｆ）とで形成された第１切欠部を有し、第３フラップが、第２フラップ突状部の底部の組立て時における上面と接着し、第４フラップが、包装箱の折畳み状態において、横方向に第３折れ線から第３側板部側に突出して形成され、第５フラップが、第５側板部の下辺から折れ線を介して連設された第５フラップ本体（９２）と、第５フラップ本体における第５側板部の下辺の方向に対して６０度の角度をなす第２傾斜辺部（９２ｈ）から折れ線を介して連設された第５フラップ突状部（９４）とを有し、第５フラップ本体が、包装箱の折畳み状態において、第４折れ線から第４側板部側に突出して形成され、第５フラップ突状部が、包装箱の折畳み状態において、第５フラップ本体に対して第２傾斜辺部を介して折曲した状態であり、第６折れ線よりも第１側板部側に突出しないように形成され、該第２傾斜辺部の第５側板部の下辺とは反対側の端部に接する第２切欠部で、第５フラップ本体における辺部（９２ｇ）と第５フラップ突状部における辺部（９４ｆ）とで形成された第２切欠部を有し、第６フラップが、第５フラップ突状部の底部の組立て時における上面と接着し、包装箱の折畳み状態において、第２フラップ突状部の一部が第４フラップの一部と重なるとともに、第５フラップ突状部の一部が第１フラップの一部と重なる底部（４０）と、を有し、第２側板部と第３側板部とを略平行に近接させるとともに第５側板部と第６側板部とを略平行に近接させた状態である包装箱の折畳み状態において、底部を構成する各部がスリーブ状部の内側に位置し、包装箱の折畳み状態からスリーブ状部を六角柱状に組み立てることにより、第３フラップが第３側板部に対して回動するとともに、第４フラップが第４側板部に対して回動して第３フラップの上面に重なり、さらに、第５フラップの第５フラップ本体が第４フラップに重なり、また、第６フラップが第６側板部に対して回動するとともに、第１フラップが第１側板部に対して回動して第６フラップの上面に重なり、さらに、第２フラップの第２フラップ本体が第１フラップに重なり、第１切欠部と第２切欠部が係合することにより、底部が組み立てられることを特徴とする。
【００１７】
第１の構成の包装箱においては、底部が組み立てられていく際に、第２フラップ突状部が、包装箱の折畳み状態において、第３折れ線から第４側板部側に突出しないように形成されているので、第４フラップが第４側板部に対して立ち上がる際に、第４フラップが第２フラップ突状部により押さえられることがなく、スリーブ状部を組み立てるに従い、第４フラップが素早く立ち上がり、第５フラップの第５フラップ本体も第５側板部に対して素早く立ち上がり、第５フラップが円滑に平板状に形成される。同様に、底部が組み立てられていく際に、第５フラップ突状部が、包装箱の折畳み状態において、第６折れ線から第１側板部側に突出しないように形成されているので、第１フラップが第１側板部に対して立ち上がる際に、第１フラップが第５フラップ突状部により押さえられることがなく、スリーブ状部を組み立てるに従い、第１フラップが素早く立ち上がり、第２フラップの第２フラップ本体も第２側板部に対して素早く立ち上がり、第２フラップが円滑に平板状に形成される。よって、スリーブ状部を六角柱状に組み立てた際には、底部を平板状に形成することができる。また、第２フラップと第５フラップとが平板状に形成されるので、第２フラップの第１切欠部と第５フラップの第２切欠部を係合させることにより第２フラップと第５フラップのロックを円滑に行なうことができ、底部を円滑に組み立てることができる。特に、包装箱を構成するシート状のブランクがＧフルート等の超薄型段ボール材のようにしなりが少ない硬い場合でも、第２フラップや第５フラップを円滑に平板状に形成して、第２フラップと第５フラップのロックを円滑に行なうことができ、底部を円滑に組み立てることができる。
【００１８】
また、第２には、上記第１の構成において、第６折れ線と第１折れ線の間の長さと、第１折れ線と第２折れ線の間の長さと、第２折れ線と第３折れ線の間の長さと、第３折れ線と第４折れ線の間の長さと、第４折れ線と第５折れ線の間の長さとが同一に形成され、スリーブ状部を組み立てた際に、正六角柱状に形成されることを特徴とする。
【００１９】
また、第３には、１枚のシート状のブランクにより形成された包装箱であって、包装箱の側面を形成するスリーブ状部で、方形状の第１側板部（１２）と、第１側板部の側辺から第１折れ線（１３）を介して連設された方形状の第２側板部（１４）と、第２側板部の第１側板部とは反対側の側辺から第２折れ線（１５）を介して連設された方形状の第３側板部（１６）と、第３側板部の第２側板部とは反対側の側辺から第３折れ線（１７）を介して連設された方形状の第４側板部（１８）と、第４側板部の第３側板部とは反対側の側辺から第４折れ線（１９）を介して連設された方形状の第５側板部（２０）と、第５側板部の第４側板部とは反対側の側辺から第５折れ線（２１）を介して連設された方形状の第６側板部（２２）と、第６側板部の第５側板部とは反対側の側辺から第６折れ線を介して連設され、第１側板部と接着された糊代部（１０）とを有し、包装箱の組立て状態では、六角柱状のスリーブ状に形成されるスリーブ状部（５）と、スリーブ状部から連設された底部で、第１側板部の下辺から折れ線を介して連設された第１フラップ（５０）と、第２側板部の下辺から折れ線を介して連設された第２フラップ（６０）と、第３側板部の下辺から折れ線を介して連設された第３フラップ（７０）と、第４側板部の下辺から折れ線を介して連設された第４フラップ（８０）と、第５側板部の下辺から折れ線を介して連設された第５フラップ（９０）と、第６側板部の下辺から折れ線を介して連設された第６フラップ（１００）とを有し、第１フラップが、包装箱の折畳み状態において、横方向に第６折れ線から第６側板部側に突出して形成され、第２フラップが、第２側板部の下辺から折れ線を介して連設された第２フラップ本体（６２）と、第２フラップ本体における第２側板部の下辺の方向に対して６０度の角度をなす第１傾斜辺部（６２ｈ）から折れ線を介して連設された第２フラップ突状部（６４）とを有し、第２フラップ本体が、包装箱の折畳み状態において、第１折れ線から第１側板部側に突出して形成され、第２フラップ突状部が、包装箱の折畳み状態において、第２フラップ本体に対して第１傾斜辺部を介して折曲した状態であり、第３折れ線よりも第４側板部側に突出しないように形成され、該第１傾斜辺部の第２側板部の下辺とは反対側の端部に接する第１切欠部で、第２フラップ本体における辺部と第２フラップ突状部における辺部とで形成された第１切欠部を有し、第３フラップが、第２フラップ突状部の底部の組立て時における上面と接着し、第４フラップが、包装箱の折畳み状態において、横方向に第３折れ線から第３側板部側に突出して形成され、第５フラップが、第５側板部の下辺から折れ線を介して連設された第５フラップ本体（９２）と、第５フラップ本体における第５側板部の下辺の方向に対して６０度の角度をなす第２傾斜辺部（９２ｈ）から折れ線を介して連設された第５フラップ突状部（９４）とを有し、第５フラップ本体が、包装箱の折畳み状態において、第４折れ線から第４側板部側に突出して形成され、第５フラップ突状部が、包装箱の折畳み状態において、第５フラップ本体に対して第２傾斜辺部を介して折曲した状態であり、第６折れ線よりも糊代部側に突出しないように形成され、該第２傾斜辺部の第５側板部の下辺とは反対側の端部に接する第２切欠部で、第５フラップ本体における辺部（９２ｇ）と第５フラップ突状部における辺部（９４ｆ）とで形成された第２切欠部を有し、第６フラップが、第５フラップ突状部の底部の組立て時における上面と接着し、包装箱の折畳み状態において、第２フラップ突状部の一部が第４フラップの一部と重なるとともに、第５フラップ突状部の一部が第１フラップの一部と重なる底部（４０）と、を有し、第２側板部と第３側板部とを略平行に近接させるとともに第５側板部と第６側板部とを略平行に近接させた状態である包装箱の折畳み状態において、底部を構成する各部がスリーブ状部の内側に位置し、包装箱の折畳み状態からスリーブ状部を六角柱状に組み立てることにより、第３フラップが第３側板部に対して回動するとともに、第４フラップが第４側板部に対して回動して第３フラップの上面に重なり、さらに、第５フラップの第５フラップ本体が第４フラップに重なり、また、第６フラップが第６側板部に対して回動するとともに、第１フラップが第１側板部に対して回動して第６フラップの上面に重なり、さらに、第２フラップの第２フラップ本体が第１フラップに重なり、第１切欠部と第２切欠部が係合することにより、底部が組み立てられることを特徴とする。
【００２０】
第３の構成の包装箱においては、底部が組み立てられていく際に、第２フラップ突状部が、包装箱の折畳み状態において、第３折れ線から第４側板部側に突出しないように形成されているので、第４フラップが第４側板部に対して立ち上がる際に、第４フラップが第２フラップ突状部により押さえられることがなく、スリーブ状部を組み立てるに従い、第４フラップが素早く立ち上がり、第５フラップの第５フラップ本体も第５側板部に対して素早く立ち上がり、第５フラップが円滑に平板状に形成される。同様に、底部が組み立てられていく際に、第５フラップ突状部が、包装箱の折畳み状態において、第６折れ線から第１側板部側に突出しないように形成されているので、第１フラップが第１側板部に対して立ち上がる際に、第１フラップが第５フラップ突状部により押さえられることがなく、スリーブ状部を組み立てるに従い、第１フラップが素早く立ち上がり、第２フラップの第２フラップ本体も第２側板部に対して素早く立ち上がり、第２フラップが円滑に平板状に形成される。よって、スリーブ状部を六角柱状に組み立てた際には、底部を平板状に形成することができる。また、第２フラップと第５フラップとが平板状に形成されるので、第２フラップの第１切欠部と第５フラップの第２切欠部を係合させることにより第２フラップと第５フラップのロックを円滑に行なうことができ、底部を円滑に組み立てることができる。特に、包装箱を構成するシート状のブランクがＧフルート等の超薄型段ボール材のようにしなりが少ない硬い場合でも、第２フラップや第５フラップを円滑に平板状に形成して、第２フラップと第５フラップのロックを円滑に行なうことができ、底部を円滑に組み立てることができる。
【００２１】
また、第４には、上記第３の構成において、第１折れ線と第２折れ線の間の長さと、第２折れ線と第３折れ線の間の長さと、第３折れ線と第４折れ線の間の長さと、第４折れ線と第５折れ線の間の長さと、第５折れ線と第６折れ線の間の長さとが同一に形成され、スリーブ状部を組み立てた際に、正六角柱状に形成されることを特徴とする。
【００２２】
また、第５には、上記第１から第４までのいずれかの構成において、第３フラップは、第３側板部から離れるほど幅狭となる第１本体部（７２）と、第１本体部の先端側の第４側板部側から突出した第１突出部（７４）とを有し、第１突出部は、包装箱の折畳み状態において、第１傾斜辺部から突出して形成されるとともに、第６フラップは、第６側板部から離れるほど幅狭となる第２本体部（１０２）と、第２本体部の先端側の第１側板部側から突出した第２突出部（１０４）とを有し、第２突出部は、包装箱の折畳み状態において、第２傾斜辺部から突出して形成されていることを特徴とする。
【００２３】
よって、底部の組立て状態において、第２フラップ突状部が第２フラップ本体と第２フラップ突状部間の折れ線（第１傾斜辺部と一致する折れ線）を押さえた状態となるので、第２フラップを平板状に維持しやすくなり、底部を平板状に維持することができる。また、同様に、底部の組立て状態において、第４突状部が第５フラップ本体と第５フラップ突状部間の折れ線（第２傾斜辺部と一致する折れ線）を押さえた状態となるので、第５フラップを平板状に維持しやすくなり、底部を平板状に維持することができる。
【００２４】
また、第６には、上記第１から第５までのいずれかの構成において、第２フラップの第２フラップ突状部において第１切欠部を構成する辺部（６４ｆ）と第１傾斜辺部とがなす角度が略９０度であるとともに、第５フラップの第５フラップ突状部において第２切欠部を構成する辺部（９４ｆ）と第２傾斜辺部とがなす角度が略９０度であることを特徴とする。よって、第１切欠部と第２切欠部の係止が容易となり、底部の組立てが容易となる。
【００２５】
また、第７には、１枚のシート状のブランクにより形成された包装箱であって、包装箱の側面を形成するスリーブ状部で、方形状の第１側板部（１２）と、第１側板部の側辺から第１折れ線（１３）を介して連設された方形状の第２側板部（１４）と、第２側板部の第１側板部とは反対側の側辺から第２折れ線（１５）を介して連設された方形状の第３側板部（１６）と、第３側板部の第２側板部とは反対側の側辺から第３折れ線（１７）を介して連設された方形状の第４側板部（１８）と、第４側板部の第３側板部とは反対側の側辺から第４折れ線（１９）を介して連設された方形状の第５側板部（２０）と、第５側板部の第４側板部とは反対側の側辺から第５折れ線（２１）を介して連設された方形状の第６側板部（２２）と、第１側板部の第２側板部とは反対側の側辺から第６折れ線（１１）を介して連設され、第６側板部と接着された糊代部（１０）とを有し、第６折れ線と第１折れ線の間の長さと、第１折れ線と第２折れ線の間の長さと、第２折れ線と第３折れ線の間の長さと、第３折れ線と第４折れ線の間の長さと、第４折れ線と第５折れ線の間の長さとが同一に形成され、包装箱の組立て状態では、正六角柱状のスリーブ状に形成されるスリーブ状部（５）と、スリーブ状部から連設された底部で、第１側板部の下辺から折れ線を介して連設された第１フラップ（５０）と、第２側板部の下辺から折れ線を介して連設された第２フラップ（６０）と、第３側板部の下辺から折れ線を介して連設された第３フラップ（７０）と、第４側板部の下辺から折れ線を介して連設された第４フラップ（８０）と、第５側板部の下辺から折れ線を介して連設された第５フラップ（９０）と、第６側板部の下辺から折れ線を介して連設された第６フラップ（１００）とを有し、第１フラップが、包装箱の折畳み状態において、横方向に第６折れ線から糊代部側に突出して形成され、第２フラップが、第２側板部の下辺から折れ線を介して連設された第２フラップ本体（６２）と、第２フラップ本体における第２側板部の下辺の方向に対して６０度の角度をなす第１傾斜辺部（６２ｈ）から折れ線を介して連設された第２フラップ突状部（６４）とを有し、第２フラップ本体が、包装箱の折畳み状態において、第１折れ線から第１側板部側に突出して形成され、第２フラップ突状部が、包装箱の折畳み状態において、第２フラップ本体に対して第１傾斜辺部を介して折曲した状態であり、第３折れ線よりも第４側板部側に突出しないように形成され、該第１傾斜辺部の第２側板部の下辺とは反対側の端部に接する第１切欠部で、第２フラップ本体における辺部（６２ｇ）と第２フラップ突状部における辺部（６４ｆ）とで形成された第１切欠部を有し、第３フラップが、第２フラップ突状部の底部の組立て時における上面と接着し、第４フラップが、包装箱の折畳み状態において、横方向に第３折れ線から第３側板部側に突出して形成され、第５フラップが、第５側板部の下辺から折れ線を介して連設された第５フラップ本体（９２）と、第５フラップ本体における第５側板部の下辺の方向に対して６０度の角度をなす第２傾斜辺部（９２ｈ）から折れ線を介して連設された第５フラップ突状部（９４）とを有し、第５フラップ本体が、包装箱の折畳み状態において、第４折れ線から第４側板部側に突出して形成され、第５フラップ突状部が、包装箱の折畳み状態において、第５フラップ本体に対して第２傾斜辺部を介して折曲した状態であり、第６折れ線よりも第１側板部側に突出しないように形成され、該第２傾斜辺部の第５側板部の下辺とは反対側の端部に接する第２切欠部で、第５フラップ本体における辺部（９２ｇ）と第５フラップ突状部における辺部（９４ｆ）とで形成された第２切欠部を有し、第６フラップが、第５フラップ突状部の底部の組立て時における上面と接着し、包装箱の折畳み状態において、第２フラップ突状部の一部が第４フラップの一部と重なるとともに、第５フラップ突状部の一部が第１フラップの一部と重なる底部（４０）と、を有し、第３フラップは、第３側板部から離れるほど幅狭となる第１本体部（７２）と、第１本体部の先端側の第４側板部側から突出した第１突出部（７４）とを有し、第１突出部は、包装箱の折畳み状態において、第１傾斜辺部から突出して形成されるとともに、第６フラップは、第６側板部から離れるほど幅狭となる第２本体部（１０２）と、第２本体部の先端側の第１側板部側から突出した第２突出部（１０４）とを有し、第２突出部は、包装箱の折畳み状態において、第２傾斜辺部から突出して形成され、第２フラップの第２フラップ突状部において第１切欠部を構成する辺部（６４ｆ）と第１傾斜辺部とがなす角度が略９０度であるとともに、第５フラップの第５フラップ突状部において第２切欠部を構成する辺部（９４ｆ）と第２傾斜辺部とがなす角度が略９０度であり、第２側板部と第３側板部とを略平行に近接させるとともに第５側板部と第６側板部とを略平行に近接させた状態である包装箱の折畳み状態において、底部を構成する各部がスリーブ状部の内側に位置し、包装箱の折畳み状態からスリーブ状部を正六角柱状に組み立てることにより、第３フラップが第３側板部に対して回動するとともに、第４フラップが第４側板部に対して回動して第３フラップの上面に重なり、さらに、第５フラップの第５フラップ本体が第４フラップに重なり、また、第６フラップが第６側板部に対して回動するとともに、第１フラップが第１側板部に対して回動して第６フラップの上面に重なり、さらに、第２フラップの第２フラップ本体が第１フラップに重なり、第１切欠部と第２切欠部が係合することにより、底部が組み立てられることを特徴とする。
【００２６】
第７の構成の包装箱においては、底部が組み立てられていく際に、第２フラップ突状部が、包装箱の折畳み状態において、第３折れ線から第４側板部側に突出しないように形成されているので、第４フラップが第４側板部に対して立ち上がる際に、第４フラップが第２フラップ突状部により押さえられることがなく、スリーブ状部を組み立てるに従い、第４フラップが素早く立ち上がり、第５フラップの第５フラップ本体も第５側板部に対して素早く立ち上がり、第５フラップが円滑に平板状に形成される。同様に、底部が組み立てられていく際に、第５フラップ突状部が、包装箱の折畳み状態において、第６折れ線から第１側板部側に突出しないように形成されているので、第１フラップが第１側板部に対して立ち上がる際に、第１フラップが第５フラップ突状部により押さえられることがなく、スリーブ状部を組み立てるに従い、第１フラップが素早く立ち上がり、第２フラップの第２フラップ本体も第２側板部に対して素早く立ち上がり、第２フラップが円滑に平板状に形成される。よって、スリーブ状部を正六角柱状に組み立てた際には、底部を平板状に形成することができる。また、第２フラップと第５フラップとが平板状に形成されるので、第２フラップの第１切欠部と第５フラップの第２切欠部を係合させることにより第２フラップと第５フラップのロックを円滑に行なうことができ、底部を円滑に組み立てることができる。特に、包装箱を構成するシート状のブランクがＧフルート等の超薄型段ボール材のようにしなりが少ない硬い場合でも、第２フラップや第５フラップを円滑に平板状に形成して、第２フラップと第５フラップのロックを円滑に行なうことができ、底部を円滑に組み立てることができる。
【００２７】
また、底部の組立て状態において、第２フラップ突状部が第２フラップ本体と第２フラップ突状部間の折れ線（第１傾斜辺部と一致する折れ線）を押さえた状態となるので、第２フラップを平板状に維持しやすくなり、底部を平板状に維持することができる。また、同様に、底部の組立て状態において、第４突状部が第５フラップ本体と第５フラップ突状部間の折れ線（第２傾斜辺部と一致する折れ線）を押さえた状態となるので、第５フラップを平板状に維持しやすくなり、底部を平板状に維持することができる。また、第１切欠部と第２切欠部の係止が容易となり、底部の組立てが容易となる。
【００２８】
また、第８には、１枚のシート状のブランクにより形成された包装箱であって、包装箱の側面を形成するスリーブ状部で、方形状の第１側板部（１２）と、第１側板部の側辺から第１折れ線（１３）を介して連設された方形状の第２側板部（１４）と、第２側板部の第１側板部とは反対側の側辺から第２折れ線（１５）を介して連設された方形状の第３側板部（１６）と、第３側板部の第２側板部とは反対側の側辺から第３折れ線（１７）を介して連設された方形状の第４側板部（１８）と、第４側板部の第３側板部とは反対側の側辺から第４折れ線（１９）を介して連設された方形状の第５側板部（２０）と、第５側板部の第４側板部とは反対側の側辺から第５折れ線（２１）を介して連設された方形状の第６側板部（２２）と、第６側板部の第５側板部とは反対側の側辺から第６折れ線を介して連設され、第１側板部と接着された糊代部（１０）とを有し、第１折れ線と第２折れ線の間の長さと、第２折れ線と第３折れ線の間の長さと、第３折れ線と第４折れ線の間の長さと、第４折れ線と第５折れ線の間の長さと、第５折れ線と第６折れ線の間の長さとが同一に形成され、包装箱の組立て状態では、正六角柱状のスリーブ状に形成されるスリーブ状部（５）と、スリーブ状部から連設された底部で、第１側板部の下辺から折れ線を介して連設された第１フラップ（５０）と、第２側板部の下辺から折れ線を介して連設された第２フラップ（６０）と、第３側板部の下辺から折れ線を介して連設された第３フラップ（７０）と、第４側板部の下辺から折れ線を介して連設された第４フラップ（８０）と、第５側板部の下辺から折れ線を介して連設された第５フラップ（９０）と、第６側板部の下辺から折れ線を介して連設された第６フラップ（１００）とを有し、第１フラップが、包装箱の折畳み状態において、横方向に第６折れ線から第６側板部側に突出して形成され、第２フラップが、第２側板部の下辺から折れ線を介して連設された第２フラップ本体（６２）と、第２フラップ本体における第２側板部の下辺の方向に対して６０度の角度をなす第１傾斜辺部（６２ｈ）から折れ線を介して連設された第２フラップ突状部（６４）とを有し、第２フラップ本体が、包装箱の折畳み状態において、第１折れ線から第１側板部側に突出して形成され、第２フラップ突状部が、包装箱の折畳み状態において、第２フラップ本体に対して第１傾斜辺部を介して折曲した状態であり、第３折れ線よりも第４側板部側に突出しないように形成され、該第１傾斜辺部の第２側板部の下辺とは反対側の端部に接する第１切欠部で、第２フラップ本体における辺部（６２ｇ）と第２フラップ突状部における辺部（６４ｆ）とで形成された第１切欠部を有し、第３フラップが、第２フラップ突状部の底部の組立て時における上面と接着し、第４フラップが、包装箱の折畳み状態において、横方向に第３折れ線から第３側板部側に突出して形成され、第５フラップが、第５側板部の下辺から折れ線を介して連設された第５フラップ本体（９２）と、第５フラップ本体における第５側板部の下辺の方向に対して６０度の角度をなす第２傾斜辺部（９２ｈ）から折れ線を介して連設された第５フラップ突状部（９４）とを有し、第５フラップ本体が、包装箱の折畳み状態において、第４折れ線から第４側板部側に突出して形成され、第５フラップ突状部が、包装箱の折畳み状態において、第５フラップ本体に対して第２傾斜辺部を介して折曲した状態であり、第６折れ線よりも糊代部側に突出しないように形成され、該第２傾斜辺部の第５側板部の下辺とは反対側の端部に接する第２切欠部で、第５フラップ本体における辺部（９２ｇ）と第５フラップ突状部における辺部（９４ｆ）とで形成された第２切欠部を有し、第６フラップが、第５フラップ突状部の底部の組立て時における上面と接着し、包装箱の折畳み状態において、第２フラップ突状部の一部が第４フラップの一部と重なるとともに、第５フラップ突状部の一部が第１フラップの一部と重なる底部（４０）と、を有し、第３フラップは、第３側板部から離れるほど幅狭となる第１本体部（７２）と、第１本体部の先端側の第４側板部側から突出した第１突出部（７４）とを有し、第１突出部は、包装箱の折畳み状態において、第１傾斜辺部から突出して形成されるとともに、第６フラップは、第６側板部から離れるほど幅狭となる第２本体部（１０２）と、第２本体部の先端側の第１側板部側から突出した第２突出部（１０４）とを有し、第２突出部は、包装箱の折畳み状態において、第２傾斜辺部から突出して形成され、第２フラップの第２フラップ突状部において第１切欠部を構成する辺部（６４ｆ）と第１傾斜辺部とがなす角度が略９０度であるとともに、第５フラップの第５フラップ突状部において第２切欠部を構成する辺部（９４ｆ）と第２傾斜辺部とがなす角度が略９０度であり、第２側板部と第３側板部とを略平行に近接させるとともに第５側板部と第６側板部とを略平行に近接させた状態である包装箱の折畳み状態において、底部を構成する各部がスリーブ状部の内側に位置し、包装箱の折畳み状態からスリーブ状部を正六角柱状に組み立てることにより、第３フラップが第３側板部に対して回動するとともに、第４フラップが第４側板部に対して回動して第３フラップの上面に重なり、さらに、第５フラップの第５フラップ本体が第４フラップに重なり、また、第６フラップが第６側板部に対して回動するとともに、第１フラップが第１側板部に対して回動して第６フラップの上面に重なり、さらに、第２フラップの第２フラップ本体が第１フラップに重なり、第１切欠部と第２切欠部が係合することにより、底部が組み立てられることを特徴とする。
【００２９】
第８の構成の包装箱においては、底部が組み立てられていく際に、第２フラップ突状部が、包装箱の折畳み状態において、第３折れ線から第４側板部側に突出しないように形成されているので、第４フラップが第４側板部に対して立ち上がる際に、第４フラップが第２フラップ突状部により押さえられることがなく、スリーブ状部を組み立てるに従い、第４フラップが素早く立ち上がり、第５フラップの第５フラップ本体も第５側板部に対して素早く立ち上がり、第５フラップが円滑に平板状に形成される。同様に、底部が組み立てられていく際に、第５フラップ突状部が、包装箱の折畳み状態において、第６折れ線から第１側板部側に突出しないように形成されているので、第１フラップが第１側板部に対して立ち上がる際に、第１フラップが第５フラップ突状部により押さえられることがなく、スリーブ状部を組み立てるに従い、第１フラップが素早く立ち上がり、第２フラップの第２フラップ本体も第２側板部に対して素早く立ち上がり、第２フラップが円滑に平板状に形成される。よって、スリーブ状部を正六角柱状に組み立てた際には、底部を平板状に形成することができる。また、第２フラップと第５フラップとが平板状に形成されるので、第２フラップの第１切欠部と第５フラップの第２切欠部を係合させることにより第２フラップと第５フラップのロックを円滑に行なうことができ、底部を円滑に組み立てることができる。特に、包装箱を構成するシート状のブランクがＧフルート等の超薄型段ボール材のようにしなりが少ない硬い場合でも、第２フラップや第５フラップを円滑に平板状に形成して、第２フラップと第５フラップのロックを円滑に行なうことができ、底部を円滑に組み立てることができる。
【００３０】
また、底部の組立て状態において、第２フラップ突状部が第２フラップ本体と第２フラップ突状部間の折れ線（第１傾斜辺部と一致する折れ線）を押さえた状態となるので、第２フラップを平板状に維持しやすくなり、底部を平板状に維持することができる。また、同様に、底部の組立て状態において、第４突状部が第５フラップ本体と第５フラップ突状部間の折れ線（第２傾斜辺部と一致する折れ線）を押さえた状態となるので、第５フラップを平板状に維持しやすくなり、底部を平板状に維持することができる。また、第１切欠部と第２切欠部の係止が容易となり、底部の組立てが容易となる。
【００３１】
また、第９には、上記第１から第８までのいずれかの構成において、包装箱が、中芯の厚みが０．５±０．１ｍｍで、中芯の段数が３０ｃｍ当たり１７７±１０段の両面段ボール材により形成されていることを特徴とする。
【考案の効果】
【００３２】
本考案に基づく包装箱によれば、底部が組み立てられていく際に、第２フラップ突状部が、包装箱の折畳み状態において、第３折れ線よりも第４側板部側に突出しないように形成されているので、第４フラップが第４側板部に対して立ち上がる際に、第４フラップが第２フラップ突状部により押さえられることがなく、スリーブ状部を組み立てるに従い、第４フラップが素早く立ち上がり、第５フラップの第５フラップ本体も第５側板部に対して素早く立ち上がり、第５フラップが円滑に平板状に形成される。同様に、底部が組み立てられていく際に、第５フラップ突状部が、包装箱の折畳み状態において、第６折れ線よりも第１側板部側に突出しないように形成されているので、第１フラップが第１側板部に対して立ち上がる際に、第１フラップが第５フラップ突状部により押さえられることがなく、スリーブ状部を組み立てるに従い、第１フラップが素早く立ち上がり、第２フラップの第２フラップ本体も第２側板部に対して素早く立ち上がり、第２フラップが円滑に平板状に形成される。よって、スリーブ状部を六角柱状に組み立てた際には、底部を平板状に形成することができる。また、第２フラップと第５フラップとが平板状に形成されるので、第２フラップの第１切欠部と第５フラップの第２切欠部を係合させることにより第２フラップと第５フラップのロックを円滑に行なうことができ、底部を円滑に組み立てることができる。特に、包装箱を構成するシート状のブランクがＧフルート等の超薄型段ボール材のようにしなりが少ない硬い場合でも、第２フラップや第５フラップを円滑に平板状に形成して、第２フラップと第５フラップのロックを円滑に行なうことができ、底部を円滑に組み立てることができる。
【図面の簡単な説明】
【００３３】
【図１】本考案の実施例に基づく包装箱の上方斜視図である。
【図２】本考案の実施例に基づく包装箱の底面図である。
【図３】図１におけるＰ−Ｐ断面図である。
【図４】本考案の実施例に基づく包装箱の展開図である。
【図５】図４の要部拡大図である。
【図６】図４の要部拡大図である。
【図７】包装箱を折り畳んだ状態を示す斜視図である。
【図８】図７におけるＱ−Ｑ断面図である。
【図９】図７におけるＲ−Ｒ断面図である。
【図１０】包装箱を組み立てる途中の状態を示す底面図である。
【図１１】包装箱を組み立てる途中の状態を示す底面図である。
【図１２】包装箱を組み立てる途中の状態を示す底面図である。
【図１３】従来の包装箱の展開図である。
【図１４】従来の包装箱の底面図である。
【図１５】従来の包装箱を折り畳んだ状態を示す斜視図である。
【図１６】図１５におけるＳ−Ｓ断面図である。
【図１７】図１５におけるＴ−Ｔ断面図である。
【図１８】従来の包装箱を組み立てる途中の状態を示す底面図である。
【考案を実施するための形態】
【００３４】
本考案においては、組立て状態で六角柱状の胴部を有し、胴部を六角形状に形成することにより同時に底部が形成される包装箱において、胴部を六角形状に形成した際に、底部を平板状に円滑に組み立てることができる包装箱を提供するという目的を以下のようにして実現した。
【００３５】
包装箱Ａは、図１〜図９に示すように構成され、スリーブ状部５と、スリーブ状部５から連設された上フラップ部２４、２６、２８と、蓋部３０と、底部４０とを有している。包装箱Ａは、１枚のシート状のブランク（具体的には、段ボール製（例えば、薄型段ボール製）のブランク）により形成され、特に、超薄型段ボールにより形成されている。なお、図において、Ｙ１−Ｙ２方向は、Ｘ１−Ｘ２方向に直角な方向である。
【００３６】
ここで、スリーブ状部５は、糊代部１０と、糊代部１０の長手辺から折れ線（第６折れ線）１１を介して連設された正面部（第１側板部）１２と、正面部１２の糊代部１０とは反対側の辺部から折れ線（第１折れ線）１３を介して連設された正面側右側面部（第２側板部）１４と、正面側右側面部１４の正面部１２とは反対側の辺部から折れ線（第２折れ線）１５を介して連設された背面側右側面部（第３側板部）１６と、背面側右側面部１６の正面側右側面部１４とは反対側の辺部から折れ線（第３折れ線）１７を介して連設された背面部（第４側板部）１８と、背面部１８の背面側右側面部１６とは反対側の辺部から折れ線（第４折れ線）１９を介して連設された背面側左側面部（第５側板部）２０と、背面側左側面部２０の背面部１８とは反対側の辺部から折れ線（第５折れ線）２１を介して連設された正面側左側面部（第６側板部）２２とを有している。スリーブ状部５は、包装箱Ａの組立て状態（図１〜図３に示す状態）においては、六角柱状（具体的には、正六角柱状）のスリーブ状に形成される。なお、主として、正面部１２と、正面側右側面部１４と、背面側右側面部１６と、背面部１８と、背面側左側面部２０と、正面側左側面部２２とによって、六角柱状（具体的には、正六角柱状）のスリーブ状に形成される。
【００３７】
糊代部１０は、縦長の台形形状の板状を呈し、正面側左側面部２２（具体的には、正面側左側面部２２の内側の面）に接着されている。なお、糊代部１０は、正面部１２の側端から折れ線を介して連設されているが、糊代部１０が、正面側左側面部２２の背面側左側面部２０とは反対側の側端から折れ線を介して連設され、正面部１２（具体的には、正面部１２の内側の面）に接着された構成としてもよい。この場合には、正面側左側面部２２と糊代部１０間の折れ線が第６折れ線となる。
【００３８】
正面部１２と、正面側右側面部１４と、背面側右側面部１６と、背面部１８と、背面側左側面部２０と、正面側左側面部２２とは、方形状の板状を呈し、同大同形状となっている。つまり、折れ線１１と折れ線１３の間の長さ（Ｘ１−Ｘ２方向の長さ）と、折れ線１３と折れ線１５の間の長さ（Ｘ１−Ｘ２方向の長さ）と、折れ線１５と折れ線１７の間の長さ（Ｘ１−Ｘ２方向の長さ）と、折れ線１７と折れ線１９の間の長さ（Ｘ１−Ｘ２方向の長さ）と、折れ線１９と折れ線２１の間の長さ（Ｘ１−Ｘ２方向の長さ）と、折れ線２１と正面側左側面部２２における折れ線２１とは反対側の辺部の間の長さ（Ｘ１−Ｘ２方向の長さ）とは、同一に形成され、糊代部１０が正面側左側面部２２に接着した状態において、折れ線１１と折れ線２１間の長さ（Ｘ１−Ｘ２方向の長さ）も折れ線１１と折れ線１３の間の長さ等と同一に形成されている。なお、正面側左側面部２２の横方向（Ｘ１−Ｘ２方向）の長さを正面部１２〜背面側左側面部２０の横方向の長さよりも短く形成してもよい。この場合でも、糊代部１０が正面側左側面部２２に接着した状態において、折れ線１１と折れ線２１間の長さは折れ線１１と折れ線１３の間の長さ等と同一に形成される。
【００３９】
また、糊代部１０が正面側左側面部２２から連設されている場合には、つまり、折れ線１３と正面部１２の折れ線１３とは反対側の辺部の間の長さ（Ｘ１−Ｘ２方向の長さ）と、折れ線１３と折れ線１５の間の長さ（Ｘ１−Ｘ２方向の長さ）と、折れ線１５と折れ線１７の間の長さ（Ｘ１−Ｘ２方向の長さ）と、折れ線１７と折れ線１９の間の長さ（Ｘ１−Ｘ２方向の長さ）と、折れ線１９と折れ線２１の間の長さ（Ｘ１−Ｘ２方向の長さ）と、折れ線２１と正面側左側面部２２と糊代部１０間の折れ線の間の長さ（Ｘ１−Ｘ２方向の長さ）とは、同一に形成され、糊代部１０が正面部１２に接着した状態において、正面側左側面部２２と糊代部１０間の折れ線と折れ線１３の間の長さ（Ｘ１−Ｘ２方向の長さ）も折れ線１３と折れ線１５の間の長さ等と同一に形成されている。なお、この場合に、正面部１２の横方向（Ｘ１−Ｘ２方向）の長さを正面側右側面部１４〜正面側左側面部２２の横方向の長さよりも短く形成してもよい。この場合でも、糊代部１０が正面部１２に接着した状態において、正面側左側面部２２と糊代部１０間の折れ線と折れ線１３の間の長さは折れ線１３と折れ線１５の間の長さ等と同一に形成される。
【００４０】
正面部１２と、正面側右側面部１４と、背面側右側面部１６と、背面部１８と、背面側左側面部２０と、正面側左側面部２２とは、それぞれ包装箱Ａの側面を形成している。正面部１２の下辺１２ｋと、正面側右側面部１４の下辺１４ｋと、背面側右側面部１６の下辺１６ｋと、背面部１８の下辺１８ｋと、背面側左側面部２０の下辺２０ｋと、正面側左側面部２２の下辺２２ｋとは、図４に示す展開状態においては、一直線上に形成されている。
【００４１】
また、上フラップ部２４は、正面部１２の上辺から折れ線を介して連設され、長方形状の角部を欠切した形状を呈している。また、上フラップ部２６は、背面側右側面部１６の上辺から折れ線を介して連設され、略台形形状を呈している。また、上フラップ部２８は、背面側左側面部２０の上辺から折れ線を介して連設され、略台形形状を呈している。上フラップ部２６、２８は、包装箱Ａの展開状態において、上面部３２とは直線状の切込みを介して隣接している。
【００４２】
蓋部３０は、背面部１８の上辺から折れ線を介して連設された正六角形状の板状の上面部３２と、上面部３２における右側面側の正面側の辺部から折れ線を介して連設された差込み片部３４と、上面部３２における左側面側の正面側の辺部から折れ線を介して連設された差込み片部３６とを有している。差込み片部３４、３６は、先端側の両側の角部にアールを形成した長方形状を呈している。
【００４３】
底部４０は、正面部１２の下辺１２ｋから折れ線を介して連設された第１フラップ５０と、正面側右側面部１４の下辺１４ｋから折れ線を介して連設された第２フラップ６０と、背面側右側面部１６の下辺１６ｋから折れ線を介して連設された第３フラップ７０と、背面部１８の下辺１８ｋから折れ線を介して連設された第４フラップ８０と、背面側左側面部２０の下辺２０ｋから折れ線を介して連設された第５フラップ９０と、正面側左側面部２２の下辺２２ｋから折れ線を介して連設された第６フラップ１００とを有している。図７に示す包装箱Ａの折畳み状態においては、底部４０を構成する各部（すなわち、第１フラップ５０〜第６フラップ１００）は、各部が連設された部材に対して折曲して、スリーブ状部５の内側に位置している。
【００４４】
ここで、第１フラップ５０は、先端側にいくほど幅狭となるテーパ状を呈し、図４に示す包装箱Ａの展開状態や図７に示す包装箱Ａの折畳み状態において、第１フラップ５０は、横方向（Ｘ１−Ｘ２方向）に折れ線１１よりも糊代部１０側に突出して形成されている。
【００４５】
すなわち、第１フラップ５０は、正面部１２の糊代部１０側の端部から正面部１２の下辺１２ｋに対して直角に形成された辺部５０ａと、辺部５０ａの正面部１２とは反対側の端部から該下辺１２ｋの方向に対して鈍角に形成された直線状の辺部５０ｂ（つまり、角度α１が鈍角に形成され、辺部５０ｂは、図４に示す包装箱Ａの展開状態や図７に示す包装箱Ａの折畳み状態において、横方向に折れ線１１よりも糊代部１０側に突出して形成されている）と、辺部５０ｂの正面部１２とは反対側の端部から連設された略円弧状の辺部５０ｃと、辺部５０ｃの辺部５０ｂとは反対側の端部から連設された略直線状で下辺１２ｋと略平行な辺部５０ｄと、辺部５０ｄの辺部５０ｃとは反対側の端部から連設された略円弧状の辺部５０ｅと、辺部５０ｅの辺部５０ｄとは反対側の端部から連設され、下辺１２ｋの折れ線１３側の端部領域に接続して形成され、下辺１２ｋに対して鋭角に形成された（つまり、角度α２が鋭角に形成されている）直線状の辺部５０ｆとを有している。辺部５０ｆは、下辺１２ｋに対して鋭角に形成され、辺部５０ｂと辺部５０ｆとは、正面部１２から離れるほど間隔が小さくなるテーパ状を呈している。
【００４６】
なお、糊代部１０が、正面側左側面部２２の背面側左側面部２０とは反対側の側端から折れ線を介して連設される場合には、第１フラップ５０は、包装箱Ａの展開状態や包装箱Ａの折畳み状態において、正面側左側面部２２と糊代部１０間の折れ線（第６折れ線）よりも正面側左側面部２２側に突出して形成されている。
【００４７】
また、第２フラップ６０は、正面側右側面部１４の下辺１４ｋから折れ線を介して連設されたフラップ本体（第２フラップ本体）６２と、フラップ本体６２の辺部６２ｈから折れ線を介して連設された突状部（第２フラップ突状部）６４とを有している。
【００４８】
フラップ本体６２は、図４に示す包装箱Ａの展開状態や図７〜図９に示す包装箱Ａの折畳み状態において、横方向に折れ線１３よりも正面部１２側に突出して形成されている。
【００４９】
すなわち、フラップ本体６２は、正面側右側面部１４の下辺１４ｋの折れ線１３側の端部領域から該下辺１４ｋに対して鈍角に形成された直線状の辺部６２ａ（つまり、角度α３が鈍角に形成され、辺部６２ａは、図４に示す包装箱Ａの展開状態や図７に示す包装箱Ａの折畳み状態において、横方向に折れ線１３よりも正面部１２側に突出して形成されている）と、辺部６２ａの正面側右側面部１４とは反対側の端部から連設された略円弧状の辺部６２ｂと、辺部６２ｂの辺部６２ａとは反対側の端部から連設され、直線状で下辺１４ｋと直角（略直角としてもよい）に形成された辺部６２ｃと、辺部６２ｃの辺部６２ｂとは反対側の端部から連設された略円弧状の辺部６２ｄと、辺部６２ｄの辺部６２ｃとは反対側の端部から連設され、直線状で下辺１４ｋと平行（略平行としてもよい）に形成された辺部６２ｅと、辺部６２ｅの辺部６２ｄとは反対側の端部から連設され、辺部６２ｅに対して鈍角に形成された直線状の辺部６２ｆ（つまり、角度α４は鈍角に形成されている）と、辺部６２ｆの辺部６２ｅとは反対側の端部から連設された直線状の辺部６２ｇと、辺部６２ｇの辺部６２ｆとは反対側の端部から連設され、下辺１４ｋの方向に対して６０度の角度に形成された直線状の辺部（第１傾斜辺部）６２ｈ（つまり、角度α５は６０度に形成されている）と、辺部６２ｈの辺部６２ｇとは反対側の端部から連設され、下辺１４ｋの折れ線１５側の端部に接続して形成され、下辺１４ｋと直角（略直角としてもよい）に形成された辺部６２ｉとを有している。なお、辺部６２ｈは、突状部６４との間の折れ線となり、この折れ線に沿って直線状の複数の切込みが間隔を介して形成されている。
【００５０】
ここで、図４に示す包装箱Ａの展開状態において、辺部６２ａと辺部５０ｆ間の間隔は、スリーブ状部５から離れるに従い大きくなるように形成されている。また、辺部６２ｈと辺部６２ａは互いに略平行に形成されている。また、辺部６２ｈは、突状部６４との間の折れ線と一致する。この辺部６２ｈと一致する折れ線の延長線は、下辺１４ｋの延長線と折れ線１５の延長線の交点１５ｋを通るように構成されている。
【００５１】
また、突状部６４は、図４に示す包装箱Ａの展開状態において、横方向に折れ線１５よりも背面側右側面部１６側に突出して形成されるとともに、図７〜図９に示す包装箱Ａの折畳み状態において、フラップ本体６２に対して折曲した状態となっていて、図８に示すように、横方向に折れ線１７から背面部１８側に突出しない（「折れ線１７よりも背面部１８側に突出しない」としてもよい）構成となっている。つまり、突状部６４は、図４に示す包装箱Ａの展開状態や図７〜図９に示す包装箱Ａの折畳み状態において、横方向に従来よりも短く形成されていて、図８に示すように、突状部６４の背面部１８側の端部は、横方向において、折れ線１７よりも背面側右側面部１６側に位置する。
【００５２】
すなわち、突状部６４は、辺部６２ｉと辺部６２ｈとの接続位置から連設され、下辺１４ｋの方向に対して鈍角に形成された直線状の辺部６４ａ（つまり、角度α６が鈍角となる）と、辺部６４ａの辺部６２ｉとは反対側の端部から連設され、下辺１４ｋに対して直角（略直角としてもよい）に形成された直線状の辺部６４ｂと、辺部６４ｂの辺部６４ａとは反対側の端部から連設された略円弧状の辺部６４ｃと、辺部６４ｃの辺部６４ｂとは反対側の端部から連設された直線状の辺部６４ｄと、辺部６４ｄの辺部６４ｃとは反対側の端部から連設された略円弧状の辺部６４ｅと、辺部６４ｅの辺部６４ｄとは反対側の端部から連設された直線状の辺部６４ｆとを有している。
【００５３】
ここで、辺部６４ｆと辺部６２ｈとは直角（略直角としてもよい）に形成され（つまり、角度α７は９０度（略９０度としてもよい）に形成されている）、辺部６４ｆと辺部６２ｇとは４５度（略４５度としてもよい）に形成されている。また、図７〜図９に示す包装箱Ａの折畳み状態においては、図８に示すように、突状部６４の第４フラップ８０側の端部領域（つまり、突状部６４の一部）は、第４フラップ８０の突状部６４側の端部領域（つまり、第４フラップ８０の一部）と重なるように形成されている。
【００５４】
また、辺部６２ｇと辺部６４ｆの接続点である点Ｇ１は、底部４０を組み立てた際に底部の中心（略中心としてもよい）に位置するように構成され、点Ｇ１と交点１５ｋ（下辺１４ｋの延長線と折れ線１５の延長線の交点１５ｋ）間の距離は、底部４０を組み立てた際の相対する角部間の距離の半分（略半分としてもよい）に形成されている。
【００５５】
また、第３フラップ７０は、略三角形状における先端領域が突出した形状を呈し、略三角形状の本体部（第１本体部）７２（背面側右側面部１６から離れるに従い幅狭となる本体部）と、本体部７２から連設された突状部（第１突出部）７４とを有している。つまり、図４に示す包装箱Ａの展開状態や図７〜図９に示す包装箱Ａの折畳み状態において、第３フラップ７０の突状部７４は、横方向に折れ線１５側に突出して形成されている。
【００５６】
すなわち、第３フラップ７０は、背面側右側面部１６の下辺１６ｋの折れ線１５側の端部から該下辺１６ｋに対して鋭角（具体的には、６０度（略６０度としてもよい））に形成された直線状の辺部７０ａ（つまり、角度α８が鋭角に形成されている）と、辺部７０ａの下辺１６ｋとは反対側の端部から連設され、下辺１６ｋに対して直角（略直角としてもよい）に直線状に形成された辺部７０ｂと、辺部７０ｂの辺部７０ａとは反対側の端部から連設され、略円弧状の辺部７０ｃと、辺部７０ｃの辺部７０ｂとは反対側の端部から連設され、下辺１６ｋに対して平行（略平行としてもよい）な直線状の辺部７０ｄと、辺部７０ｄの辺部７０ｃとは反対側の端部から連設され、略円弧状の辺部７０ｅと、辺部７０ｅの辺部７０ｄとは反対側の端部から連設され、下辺１６ｋの折れ線１７側の端部領域に接続して形成され、下辺１６ｋに対して鋭角（具体的には、６０度（略６０度としてもよい））に形成された（つまり、角度α９が鋭角に形成されている）直線状の辺部７０ｆとを有している。この第３フラップ７０において、辺部７０ａの延長線を介した基端側が本体部７２となり、先端側が突状部７４となる。
【００５７】
この第３フラップ７０は、第２フラップ６０の突状部６４と接着され、第２フラップ６０のフラップ本体６２と突状部６４間の折れ線（つまり、該折れ線は辺部６２ｈと一致する）と、辺部７０ａとは、図８に示すように平行（略平行としてもよい）となっており、第３フラップ７０の突状部７４は、図８に示すように、フラップ本体６２と突状部６４間の折れ線よりも突出した状態となっている。また、図４に示す包装箱Ａの展開状態において、辺部７０ａは、辺部６４ａと平行（略平行としてもよい）に形成され、また、辺部７０ｆは、第４フラップ８０の辺部８０ｂと平行（略平行としてもよい）に形成されている。
【００５８】
また、第４フラップ８０は、第１フラップ５０と同一の構成である。つまり、第４フラップ８０は、先端側にいくほど幅狭となるテーパ状を呈し、図４に示す包装箱Ａの展開状態や図７に示す包装箱Ａの折畳み状態において、第４フラップ８０は、横方向（Ｘ１−Ｘ２方向）に折れ線１７よりも背面側右側面部１６側に突出して形成されている。
【００５９】
すなわち、第４フラップ８０は、辺部８０ａ〜８０ｆとを有し、辺部８０ａ〜８０ｆは、第１フラップ５０の辺部５０ａ〜５０ｆと同一の構成であり、特に、辺部８０ｂは、背面部１８の下辺１８ｋの方向に対して鈍角に形成され（つまり、角度α１１が下辺１８ｋの方向に対して鈍角に形成されている）、図４に示す包装箱Ａの展開状態や図７に示す包装箱Ａの折畳み状態において、横方向に折れ線１７よりも背面側右側面部１６側に突出して形成されている。また、辺部８０ｆは、下辺１８ｋに対して鋭角に形成され（つまり、角度α１２が鋭角に形成されている）、辺部８０ｂと辺部８０ｆとは、背面部１８から離れるほど間隔が小さくなるテーパ状を呈している。
【００６０】
また、第５フラップ９０は、第２フラップ６０と同一の構成である。つまり、第５フラップ９０は、背面側左側面部２０の下辺２０ｋから折れ線を介して連設されたフラップ本体（第５フラップ本体）９２と、フラップ本体９２の辺部９２ｈから折れ線を介して連設された突状部（第５フラップ突状部）９４とを有している。
【００６１】
フラップ本体９２は、フラップ本体６２と同一の構成であり、図４に示す包装箱Ａの展開状態や図７〜図９に示す包装箱Ａの折畳み状態において、横方向に折れ線１９よりも背面部１８側に突出して形成されている。
【００６２】
すなわち、フラップ本体９２は、辺部９２ａ〜辺部９２ｉを有し、辺部９２ａ〜９２ｉは、第２フラップ６０の辺部６０ａ〜６０ｉと同一の構成であり、特に、辺部９２ａは、該下辺２０ｋに対して鈍角に形成され（つまり、角度α１３が鈍角に形成されている）、辺部９２ａは、図４に示す包装箱Ａの展開状態や図７に示す包装箱Ａの折畳み状態において、横方向に折れ線１９よりも背面部１８側に突出して形成されている。また、辺部（第２傾斜辺部）９２ｈは、下辺２０ｋの方向に対して６０度の角度に形成されている（つまり、角度α１５は６０度に形成されている）。また、図４に示す包装箱Ａの展開状態において、辺部９２ａと辺部８０ｆ間の間隔は、スリーブ状部５から離れるに従い大きくなるように形成されている。また、辺部９２ｈと辺部９２ａは互いに略平行に形成されている。また、辺部９２ｈは、突状部９４との間の折れ線となり、この折れ線に沿って直線状の複数の切込みが間隔を介して形成されている。
【００６３】
また、突状部９４は、突状部６４と同一の構成であり、図４に示す包装箱Ａの展開状態において、横方向に折れ線２１よりも正面側左側面部２２側に突出して形成されるとともに、図７〜図９に示す包装箱Ａの折畳み状態において、フラップ本体９２に対して折曲した状態となっていて、図９に示すように、横方向に折れ線１１から正面部１２側に突出しない構成（「折れ線１１よりも正面部１２側に突出しない」としてもよい）となっている。つまり、突状部９４は、図４に示す包装箱Ａの展開状態や図７〜図９に示す包装箱Ａの折畳み状態において、横方向に従来よりも短く形成されていて、図９に示すように、突状部９４の正面部１２側の端部は、横方向において、折れ線１１よりも正面側左側面部２２側に位置する。
【００６４】
すなわち、突状部９４は、辺部９４ａ〜９４ｆを有し、辺部９４ａ〜９４ｆは、突状部６４の辺部６４ａ〜６４ｆと同一の構成であり、特に、辺部９４ａは、下辺２０ｋの方向に対して鈍角に形成され（つまり、角度α１６が鈍角となる）、辺部９４ｂは、下辺２０ｋに対して直角（略直角としてもよい）に形成されている。また、辺部９４ｆと辺部９２ｈとは直角（略直角としてもよい）に形成され（つまり、角度α１７は９０度（略９０度としてもよい）に形成されている）、辺部９４ｆと辺部９２ｇとは４５度（略４５度としてもよい）に形成されている。また、図７〜図９に示す包装箱Ａの折畳み状態においては、図９に示すように、突状部９４の第１フラップ５０側の端部領域（つまり、突状部９４の一部）は、第１フラップ５０の突状部９４側の端部領域（第１フラップ５０の一部）と重なるように形成されている。
【００６５】
また、第６フラップ１００は、第３フラップ７０と同一の構成であり、略三角形状の本体部（第２本体部）１０２と、本体部１０２から連設された突状部（第２突出部）１０４とを有している。つまり、図４に示す包装箱Ａの展開状態や図７〜図９に示す包装箱Ａの折畳み状態において、第６フラップ１００の突状部１０４は、横方向に折れ線２１側に突出して形成されている。
【００６６】
すなわち、第６フラップ１００は、辺部１００ａ〜１００ｆを有し、辺部１００ａ〜１００ｆは、第３フラップ７０の辺部７０ａ〜７０ｆと同一の構成であり、特に、辺部１００ａは、正面側左側面部２２の下辺２２ｋに対して鋭角（具体的には、６０度（略６０度としてもよい））に形成され（つまり、角度α１８が鋭角に形成されている）、辺部１００ｂは、下辺２２ｋに対して直角（略直角としてもよい）に直線状に形成され、辺部１００ｆは、正面側左側面部２２の下辺２２ｋに対して鋭角（具体的には、６０度（略６０度としてもよい））に形成されている（つまり、角度α１９が鋭角に形成されている）。
【００６７】
この第６フラップ１００は、第５フラップ９０の突状部９４と接着され、第５フラップ９０のフラップ本体９２と突状部９４間の折れ線（つまり、該折れ線は辺部９２ｈと一致する）と、辺部１００ａとは、図９に示すように平行（略平行としてもよい）となっており、第６フラップ１００の突状部１０４は、図９に示すように、フラップ本体９２と突状部９４間の折れ線よりも突出した状態となっている。また、図４に示す包装箱Ａの展開状態において、辺部１００ａは、辺部９４ａと平行（略平行としてもよい）に形成され、また、辺部１００ｆは、第１フラップ５０の辺部５０ｂと平行（略平行としてもよい）に形成されている。
【００６８】
上記構成の包装箱Ａの使用状態について説明する。図７〜図９に示す包装箱Ａの折畳み状態から図１〜図３に示す組立て状態にするには、折れ線１５と折れ線２１とを互いに近づけて、スリーブ状部５を立体的にしていくと、図１０に示す状態から図１１に示す状態に移行し、さらには、図１２に示す状態を経て、辺部６２ｇと辺部６４ｆにより構成される切欠部Ｋ１と、辺部９２ｇと辺部９４ｆにより構成される切欠部Ｋ２とが互いに係止して底部４０が平板状にロックされて、図２に示す組立て状態となる。図２に示す組立て状態においては、スリーブ状部５は、六角柱状（具体的には、正六角柱状）となっている。
【００６９】
つまり、スリーブ状部５を立体的にしていくと、第１フラップ５０と、フラップ本体６２と、第３フラップ７０と、第４フラップ８０と、フラップ本体９２と、第６フラップ１００がそれらが連設されたスリーブ状部５における部材に対して立ち上がっていき、第１フラップ５０が突状部９４及び第６フラップ１００の上側に重なるとともに、第４フラップ８０が突状部６４及び第３フラップ７０の上側に重なり、さらに、フラップ本体６０が第１フラップ５０の上側に重なるとともに、フラップ本体９０が第４フラップ８０の上側に重なる。
【００７０】
底部４０が以上のように組み立てられていく際に、突状部６４は、図４に示す包装箱Ａの展開状態や図７〜図９に示す包装箱Ａの折畳み状態において、横方向に従来よりも短く形成されていて、図８に示すように、突状部６４の背面部１８側の端部は、横方向において、折れ線１７よりも背面側右側面部１６側に位置するので、第４フラップ８０が背面部１８に対して立ち上がる際に、第４フラップ８０が突状部６４により押さえられることがなく、スリーブ状部５を組み立てるに従い、第４フラップ８０が素早く立ち上がり、第５フラップ９０のフラップ本体９２も背面側左側面部２０に対して素早く立ち上がり、第５フラップ９０が円滑に平板状に形成される。同様に、突状部９４は、図４に示す包装箱Ａの展開状態や図７〜図９に示す包装箱Ａの折畳み状態において、横方向に従来よりも短く形成されていて、図９に示すように、突状部９４の正面部１２側の端部は、横方向において、折れ線１１よりも正面側左側面部２２側に位置するので、第１フラップ５０が正面部１２に対して立ち上がる際に、第１フラップ５０が突状部９４により押さえられることがなく、スリーブ状部５を組み立てるに従い、第１フラップ５０が素早く立ち上がり、第２フラップ６０のフラップ本体６２も背面側左側面部２０に対して素早く立ち上がり、第２フラップ６０が円滑に平板状に形成される。よって、スリーブ状部５を六角柱状（具体的には、正六角柱状）に組み立てた際には、底部４０を平板状に形成することができる。また、第２フラップ６０と第５フラップ９０とが平板状に形成されるので、第２フラップ６０と第５フラップ９０のロックを円滑に行なうことができ、底部４０を円滑に組み立てることができる。特に、包装箱Ａを構成するシート状のブランクがＧフルート等の超薄型段ボール材のようにしなりが少ない硬い場合でも、第２フラップ６０や第５フラップ９０を円滑に平板状に形成して、第２フラップ６０と第５フラップ９０のロックを円滑に行なうことができ、底部４０を円滑に組み立てることができる。
【００７１】
また、第３フラップ７０の突状部７４は、図８に示すように、フラップ本体６２と突状部６４間の折れ線よりも突出した状態となっていて、底部４０を組み立てた状態においては、図３に示すように、突状部７４がフラップ本体６２と突状部６４間の折れ線を押さえた状態となるので、第２フラップ６０を平板状に維持しやすくなり、底部４０を平板状に維持することができる。同様に、第６フラップ１００の突状部１０４は、図９に示すように、フラップ本体９２と突状部９４間の折れ線よりも突出した状態となっていて、底部４０を組み立てた状態においては、図３に示すように、突状部１０４がフラップ本体９２と突状部９４間の折れ線を押さえた状態となるので、第５フラップ９０を平板状に維持しやすくなり、底部４０を平板状に維持することができる。
【００７２】
また、角度α７と角度α１７は、９０度（略９０度）に形成されているので、辺部６２ｇと辺部６４ｆにより構成される切欠部Ｋ１と辺部９２ｇと辺部９４ｆにより構成される切欠部Ｋ２の係止が容易となり、底部４０の組立てが容易となる。つまり、従来例においては、図１３に示すように、角度α７’と角度α１７’は、９０度よりも大きく形成されているので、特に、包装箱をＧフルート等の超薄型段ボールにより形成した場合には、２つの切欠部をロックする際の抵抗が大きく、ロックが容易でないが、本実施例の場合には、角度α７と角度α１７は、９０度に形成されているので、包装箱をＧフルート等の超薄型段ボールにより形成した場合でも（つまり、シート状のブランクにしなりが少ない場合でも）、容易に２つの切欠部Ｋ１、Ｋ２を係止させることができ、従来例の場合に比べて、容易に底部を組み立てることができる。
【００７３】
以上のように、スリーブ状部５を六角柱状（具体的には、正六角柱状）に組み立てることにより、底部４０を組み立てたら、包装箱Ａの内部に被収納物を収納した上で、上フラップ２４、２６、２８を内側に折曲した状態で、蓋部３０をスリーブ状部５の上端の開口部を塞ぐように回動させ、差込み片３４、３６を該開口部に差し込んで包装箱５を閉状態とする。
【００７４】
以上のように、本実施例の包装箱Ａによれば、包装箱Ａを構成するシート状のブランクがＧフルート等の超薄型段ボール材のようにしなりが少ない硬い場合でも、第２フラップ６０や第５フラップ９０を円滑に平板状に形成して、第２フラップ６０と第５フラップ９０のロックを円滑に行なうことができ、底部４０を円滑に組み立てることができる。
【００７５】
また、第３フラップ７０の突状部７４と第６フラップ１００の突状部１０４が設けられているので、第２フラップ６０や第５フラップ９０を平板状に維持しやすくなり、底部４０を平板状に維持することができる。
【００７６】
また、角度α７と角度α１７は、９０度に形成されているので、包装箱Ａを構成するシート状のブランクがＧフルート等の超薄型段ボール材のようにしなりが少ない硬い場合でも、容易に２つの切欠部Ｋ１、Ｋ２を係止させることができ、容易に底部を組み立てることができる。
【符号の説明】
【００７７】
Ａ  包装箱
５  スリーブ状部
１０  糊代部
１１、１３、１５、１７、１９、２１  折れ線
１２  正面部
１４  正面側右側面部
１６  背面側右側面部
１８  背面部
２０  背面側左側面部
２２  正面側左側面部
３０  蓋部
４０  底部
５０  第１フラップ
６０  第２フラップ
６２、９２  フラップ本体
６４、７４、９４、１０４  突状部
７０  第３フラップ
７２、１０２  本体部
８０  第４フラップ
９０  第５フラップ
１００  第６フラップ
【図１】
0003171224.tif 000003
【図２】
0003171224.tif 000004
【図３】
0003171224.tif 000005
【図４】
0003171224.tif 000006
【図５】
0003171224.tif 000007
【図６】
0003171224.tif 000008
【図７】
0003171224.tif 000009
【図８】
0003171224.tif 000010
【図９】
0003171224.tif 000011
【図１０】
0003171224.tif 000012
【図１１】
0003171224.tif 000013
【図１２】
0003171224.tif 000014
【図１３】
0003171224.tif 000015
【図１４】
0003171224.tif 000016
【図１５】
0003171224.tif 000017
【図１６】
0003171224.tif 000018
【図１７】
0003171224.tif 000019
【図１８】
0003171224.tif 000020